【手続補正書】
【提出日】平成29年4月26日(2017.4.26)
【手続補正１】
【補正対象書類名】特許請求の範囲
【補正対象項目名】全文
【補正方法】変更
【補正の内容】
【特許請求の範囲】
【請求項１】
第１の送信機から第１の受信機に、第１の送信機会（ＴＸＯＰ）に関連する再使用インジケーションメッセージを送ることと、ここにおいて、前記再使用インジケーションメッセージは、前記第１の受信機に、第２の送信機による前記第１のＴＸＯＰの再使用が許可されるかどうかを示すよう要求する、
前記第１の送信機において前記第１の受信機から、前記再使用インジケーションメッセージに応答したメッセージを受信することと
を備える方法。
【請求項２】
前記第１のＴＸＯＰの再使用が許可されるかどうかを示すよう求める要求は、前記再使用インジケーションメッセージの媒体アクセス制御（ＭＡＣ）部分に含まれ、
または、前記第１のＴＸＯＰの再使用が許可されるかどうかを示すよう求める要求は、前記再使用インジケーションメッセージの信号（ＳＩＧ）フィールドに含まれ、
または、前記再使用インジケーションメッセージは変調およびコーディング方式（ＭＣＳ）を識別し、
または、前記再使用インジケーションメッセージに応答した前記メッセージは、送信可（ＣＴＳ）メッセージを含み、および前記ＣＴＳに基づいて、前記第１のＴＸＯＰの前記再使用が許可されるかどうかを決定することをさらに備え、
または、前記再使用インジケーションメッセージに応答した前記メッセージは、前記第１の送信機と前記第１の受信機との間の後続メッセージの通信中に使用される変調およびコーディング方式（ＭＣＳ）を示す送信可（ＣＴＳ）メッセージを含む、請求項１に記載の方法。
【請求項３】
前記再使用インジケーションメッセージに応答した前記メッセージは、送信可（ＣＴＳ）メッセージを含み、および前記ＣＴＳメッセージに基づいて受信機クリアチャネルアクセス（ＲＸ  ＣＣＡ）しきい値を決定することをさらに備え、ここにおいて、前記ＲＸ  ＣＣＡしきい値は、前記第１の受信機に関連付けられる、請求項１に記載の方法。
【請求項４】
前記ＲＸ  ＣＣＡしきい値は、前記ＣＴＳメッセージに含まれる１つまたは複数のビットによって示される、請求項３に記載の方法。
【請求項５】
前記ＣＴＳメッセージは、前記第１の受信機の特定のＲＸ  ＣＣＡしきい値を含み、ここにおいて、前記特定のＲＸ  ＣＣＡしきい値は、第１の変調およびコーディング方式（ＭＣＳ）に関連付けられ、
前記ＲＸ  ＣＣＡしきい値を生成するために前記特定のＲＸ  ＣＣＡしきい値を調整することをさらに備え、ここにおいて、前記特定のＲＸ  ＣＣＡしきい値の前記調整は、第２のＭＣＳに基づく、請求項３に記載の方法。
【請求項６】
プロセッサと、
メモリであって、
第１の受信機に、第１の送信機会（ＴＸＯＰ）に関連する再使用インジケーションメッセージを送ることと、ここにおいて、前記再使用インジケーションメッセージは、前記第１の受信機に、第２の送信機による前記第１のＴＸＯＰの再使用が許可されるかどうかを示すよう要求する、
前記第１の受信機から、前記再使用インジケーションメッセージに応答したメッセージを受信することと
を備える動作を実行するように前記プロセッサによって実行可能な命令を記憶するように構成されたメモリと
を備える装置。
【請求項７】
前記動作は、前記第１のＴＸＯＰに関連するメッセージの一部分を送ることをさらに備え、ここにおいて、前記第２の送信機は、再使用送信機を含み、前記一部分は、前記再使用送信機に、前記第１のＴＸＯＰの再使用が許可されるかどうかを示し、
前記一部分は、プリアンブルを含む、請求項６に記載の装置。
【請求項８】
前記動作は、前記第１のＴＸＯＰの終了と前記再使用インジケーションメッセージのネットワーク割振りベクトル（ＮＡＶ）をアライメントさせることをさらに備え、
前記再使用インジケーションメッセージは、変調およびコーディング方式（ＭＣＳ）を識別する、請求項６に記載の装置。
【請求項９】
第１の受信機において第１の送信機から、第１の送信機会（ＴＸＯＰ）に関連する再使用インジケーションメッセージを受信することと、ここにおいて、前記再使用インジケーションメッセージが前記第１の受信機に、第２の送信機による前記第１のＴＸＯＰの再使用が許可されるかどうかを示すよう要求する、
前記第１の受信機から前記第１の送信機に、前記再使用インジケーションメッセージに応答して、前記第１のＴＸＯＰに関連するメッセージを送ることと、ここにおいて、前記第１のＴＸＯＰに関連する前記メッセージが、前記第１のＴＸＯＰの再使用が許可されるかどうかを示す、
を備える方法。
【請求項１０】
前記再使用インジケーションメッセージは、前記第１のＴＸＯＰに関連する前記メッセージが送られる前に受信され、ここにおいて、前記第１のＴＸＯＰに関連する前記メッセージは、前記第１のＴＸＯＰの再使用が許可されるかどうかを示す送信可（ＣＴＳ）メッセージを含む、請求項９に記載の方法。
【請求項１１】
前記第１の受信機の受信機（ＲＸ）クリアチャネルアクセス（ＣＣＡ）しきい値を決定することをさらに備え、
前記ＲＸ  ＣＣＡしきい値は、前記再使用インジケーションメッセージによって識別された変調およびコーディング方式（ＭＣＳ）に基づいて決定され、
または、前記第１のＴＸＯＰに関連する前記メッセージは、送信可（ＣＴＳ）メッセージを含み、ここにおいて、前記ＲＸ  ＣＣＡしきい値は、前記ＣＴＳメッセージに関連する送信電力値に基づいて決定され、
または、前記ＲＸ  ＣＣＡしきい値は、１つもしくは複数のチャネルダイナミクス、ＣＣＡ測定不確実性、履歴統計、またはそれらの組合せに基づいて決定され、
または、前記第１の受信機の特定のＲＸ  ＣＣＡしきい値を決定することと、前記第１のＴＸＯＰに関連する前記メッセージに関連する送信電力値を決定することと、前記ＲＸ  ＣＣＡしきい値を生成するために前記送信電力値に基づいて前記特定のＲＸ  ＣＣＡしきい値を調整することと
をさらに備える、請求項９に記載の方法。
【請求項１２】
前記第１のＴＸＯＰに関連する前記メッセージは、送信可（ＣＴＳ）メッセージを含み、ここにおいて、前記ＣＴＳメッセージの媒体アクセス制御（ＭＡＣ）部分または信号（ＳＩＧ）フィールドは、前記第１のＴＸＯＰの再使用が許可されることを示し、受信機（ＲＸ）クリアチャネルアクセス（ＣＣＡ）しきい値を示し、変調およびコーディング方式（ＭＣＳ）を示し、またはそれらの組合せであり、
または、前記第１のＴＸＯＰに関連する前記メッセージは、前記第１の送信機によって使用される変調およびコーディング方式（ＭＣＳ）を識別する送信可（ＣＴＳ）メッセージを含む、請求項９に記載の方法。
【請求項１３】
プロセッサと、
メモリであって、
第１の送信機から、第１の送信機会（ＴＸＯＰ）に関連する再使用インジケーションメッセージを受信することと、ここにおいて、前記再使用インジケーションメッセージは、第１の受信機に、前記第１のＴＸＯＰの再使用が許可されるかどうかを示すよう要求する、
前記第１の送信機に、前記再使用インジケーションメッセージに応答して、前記第１のＴＸＯＰに関連するメッセージを送ることと、ここにおいて、前記第１のＴＸＯＰに関連する前記メッセージは、前記第１のＴＸＯＰの再使用が許可されるかどうかを示す、
を備える動作を実行するように前記プロセッサによって実行可能な命令を記憶するように構成されたメモリと
を備える装置。
【請求項１４】
前記動作は変調およびコーディング方式（ＭＣＳ）を決定することをさらに備え、
前記ＭＣＳは前記再使用インジケーションメッセージに基づいて決定される、請求項１３に記載の装置。
【請求項１５】
前記第１のＴＸＯＰに関連する前記メッセージは、前記第１のＴＸＯＰの再使用が許可されるかどうかを示す送信可（ＣＴＳ）メッセージを含み、ここにおいて、前記動作は、前記ＭＣＳに基づいて受信機（ＲＸ）クリアチャネルアクセス（ＣＣＡ）しきい値を決定することをさらに備え、ここにおいて、前記ＲＸ  ＣＣＡしきい値は、前記第１の受信機に関連付けられ、
前記ＭＣＳは、デフォルトＭＣＳであり、
または、前記ＣＴＳメッセージの信号（ＳＩＧ）フィールドは、前記第１のＴＸＯＰの再使用が許可されることを示し、受信機（ＲＸ）クリアチャネルアクセス（ＣＣＡ）しきい値を示し、変調およびコーディング方式（ＭＣＳ）を示し、またはそれらの組合せである、請求項１４に記載の装置。
【手続補正２】
【補正対象書類名】明細書
【補正対象項目名】０２４３
【補正方法】変更
【補正の内容】
【０２４３】
[00263]開示した実施形態の上記の説明は、開示した実施形態を当業者が作成または使用することを可能にするために提供されている。これらの実施形態に対する様々な修正は、当業者には容易に明らかであり、本明細書で定義されている原理は、本開示の範囲から逸脱することなく、他の実施形態に適用され得る。したがって、本開示は、本明細書に示されている実施形態に限定されることを意図されておらず、以下の特許請求の範囲によって定義される原理および新規な特徴と一致する可能な最も広い範囲を与えられるべきである。
以下に本願の出願当初の特許請求の範囲に記載された発明を付記する。
［Ｃ１］
第１の送信機から第１の受信機に、第１の送信機会（ＴＸＯＰ）に関連する送信要求（ＲＴＳ）メッセージを送ることと、ここにおいて、前記ＲＴＳメッセージは、前記第１の受信機に、前記第１のＴＸＯＰの再使用が許可されるかどうかを示すよう要求する、
前記第１の送信機において前記第１の受信機から、前記ＲＴＳメッセージに応答した送信可（ＣＴＳ）メッセージを受信することと
を備える方法。
［Ｃ２］
前記第１のＴＸＯＰの再使用が許可されるかどうかを示すよう求める要求は、前記ＲＴＳメッセージの媒体アクセス制御（ＭＡＣ）部分に含まれる、Ｃ１に記載の方法。
［Ｃ３］
前記第１のＴＸＯＰの再使用が許可されるかどうかを示すよう求める要求は、前記ＲＴＳメッセージの信号（ＳＩＧ）フィールドに含まれる、Ｃ１に記載の方法。
［Ｃ４］
前記ＲＴＳメッセージは変調およびコーディング方式（ＭＣＳ）を識別する、Ｃ１に記載の方法。
［Ｃ５］
前記受信機から受信された前記ＣＴＳメッセージに基づいて、前記第１のＴＸＯＰの前記再使用が許可されるかどうかを決定することをさらに備える、Ｃ１に記載の方法。
［Ｃ６］
前記ＣＴＳメッセージは、前記第１の送信機と前記第１の受信機との間の後続メッセージの通信中に使用される変調およびコーディング方式（ＭＣＳ）を示す、Ｃ１に記載の方法。
［Ｃ７］
前記ＣＴＳメッセージに基づいて受信機クリアチャネルアクセス（ＲＸ  ＣＣＡ）しきい値を決定することをさらに備え、ここにおいて、前記ＲＸ  ＣＣＡしきい値は、前記第１の受信機に関連付けられる、Ｃ１に記載の方法。
［Ｃ８］
前記ＲＸ  ＣＣＡしきい値は、前記ＣＴＳメッセージに含まれる１つまたは複数のビットによって示される、Ｃ７に記載の方法。
［Ｃ９］
前記ＣＴＳメッセージは、前記第１の受信機の特定のＲＸ  ＣＣＡしきい値を含み、ここにおいて、前記特定のＲＸ  ＣＣＡしきい値は、第１の変調およびコーディング方式（ＭＣＳ）に関連付けられる、Ｃ７に記載の方法。
［Ｃ１０］
前記ＲＸ  ＣＣＡしきい値を生成するために前記特定のＲＸ  ＣＣＡしきい値を調整することをさらに備え、ここにおいて、前記特定のＲＸ  ＣＣＡしきい値の前記調整は、第２のＭＣＳに基づく、Ｃ９に記載の方法。
［Ｃ１１］
プロセッサと、
メモリであって、
第１の受信機に、第１の送信機会（ＴＸＯＰ）に関連する送信要求（ＲＴＳ）メッセージを送ることと、ここにおいて、前記ＲＴＳメッセージは、前記第１の受信機に、前記第１のＴＸＯＰの再使用が許可されるかどうかを示すよう要求する、
前記第１の受信機から、前記ＲＴＳメッセージに応答した送信可（ＣＴＳ）メッセージを受信することと
を備える動作を実行するように前記プロセッサによって実行可能な命令を記憶するように構成されたメモリと
を備える装置。
［Ｃ１２］
前記動作は、前記第１のＴＸＯＰに関連するメッセージの一部分を送ることをさらに備え、ここにおいて、前記一部分は、再使用送信機に、前記第１のＴＸＯＰの再使用が許可されるかどうかを示す、Ｃ１１に記載の装置。
［Ｃ１３］
前記一部分はプリアンブルを含む、Ｃ１２に記載の装置。
［Ｃ１４］
前記動作は、前記第１のＴＸＯＰの終了と前記ＲＴＳメッセージのネットワーク割振りベクトル（ＮＡＶ）をアライメントさせることをさらに備える、Ｃ１１に記載の装置。
［Ｃ１５］
前記ＲＴＳメッセージは変調およびコーディング方式（ＭＣＳ）を識別する、Ｃ１１に記載の装置。
［Ｃ１６］
第１の受信機において第１の送信機から、第１の送信機会（ＴＸＯＰ）に関連する送信要求（ＲＴＳ）メッセージを受信することと、ここにおいて、前記ＲＴＳメッセージが前記第１の受信機に、前記第１のＴＸＯＰの再使用が許可されるかどうかを示すよう要求する、
前記第１の受信機から前記第１の送信機に、前記ＲＴＳメッセージに応答して、前記第１のＴＸＯＰに関連する送信可（ＣＴＳ）メッセージを送ることと、ここにおいて、前記ＣＴＳメッセージが、前記第１のＴＸＯＰの再使用が許可されるかどうかを示す、
を備える方法。
［Ｃ１７］
前記ＲＴＳメッセージは、前記ＣＴＳメッセージが送られる前に受信される、Ｃ１６に記載の方法。
［Ｃ１８］
前記第１の受信機の受信機（ＲＸ）クリアチャネルアクセス（ＣＣＡ）しきい値を決定することをさらに備える、Ｃ１６に記載の方法。
［Ｃ１９］
前記ＲＸ  ＣＣＡしきい値は、前記ＲＴＳメッセージによって識別された変調およびコーディング方式（ＭＣＳ）に基づいて決定される、Ｃ１８に記載の方法。
［Ｃ２０］
前記ＲＸ  ＣＣＡしきい値は、前記ＣＴＳメッセージに関連する送信電力値に基づいて決定される、Ｃ１８に記載の方法。
［Ｃ２１］
前記ＲＸ  ＣＣＡしきい値は、１つもしくは複数のチャネルダイナミクス、ＣＣＡ測定不確実性、履歴統計、またはそれらの組合せに基づいて決定される、Ｃ１８に記載の方法。
［Ｃ２２］
前記第１の受信機の特定のＲＸ  ＣＣＡしきい値を決定することと、
前記ＣＴＳメッセージに関連する送信電力値を決定することと、
前記ＲＸ  ＣＣＡしきい値を生成するために前記送信電力値に基づいて前記特定のＲＸ  ＣＣＡしきい値を調整することと
をさらに備える、Ｃ１８に記載に方法。
［Ｃ２３］
前記ＣＴＳメッセージの媒体アクセス制御（ＭＡＣ）部分または信号（ＳＩＧ）フィールドは、前記第１のＴＸＯＰの再使用が許可されることを示し、受信機（ＲＸ）クリアチャネルアクセス（ＣＣＡ）しきい値を示し、変調およびコーディング方式（ＭＣＳ）を示し、またはそれらの組合せである、Ｃ１６に記載に方法。
［Ｃ２４］
前記ＣＴＳメッセージは、前記第１の送信機によって使用される変調およびコーディング方式（ＭＣＳ）を識別する、Ｃ１６に記載の方法。
［Ｃ２５］
プロセッサと、
メモリであって、
第１の送信機から、第１の送信機会（ＴＸＯＰ）に関連する送信要求（ＲＴＳ）メッセージを受信することと、ここにおいて、前記ＲＴＳメッセージは、第１の受信機に、前記第１のＴＸＯＰの再使用が許可されるかどうかを示すよう要求する、
前記第１の送信機に、前記ＲＴＳメッセージに応答して、前記第１のＴＸＯＰに関連する送信可（ＣＴＳ）メッセージを送ることと、ここにおいて、前記ＣＴＳメッセージは、前記第１のＴＸＯＰの再使用が許可されるかどうかを示す、
を備える動作を実行するように前記プロセッサによって実行可能な命令を記憶するように構成されたメモリと
を備える装置。
［Ｃ２６］
前記動作は変調およびコーディング方式（ＭＣＳ）を決定することをさらに備える、Ｃ２５に記載の装置。
［Ｃ２７］
前記ＭＣＳは前記ＲＴＳメッセージに基づいて決定される、Ｃ２６に記載の装置。
［Ｃ２８］
前記動作は、前記ＭＣＳに基づいて受信機（ＲＸ）クリアチャネルアクセス（ＣＣＡ）しきい値を決定することをさらに備え、ここにおいて、前記ＲＸ  ＣＣＡしきい値は、前記第１の受信機に関連付けられる、Ｃ２６に記載の装置。
［Ｃ２９］
前記ＭＣＳはデフォルトＭＣＳである、Ｃ２８に記載の装置。
［Ｃ３０］
前記ＣＴＳメッセージの信号（ＳＩＧ）フィールドは、前記第１のＴＸＯＰの再使用が許可されることを示し、受信機（ＲＸ）クリアチャネルアクセス（ＣＣＡ）しきい値を示し、変調およびコーディング方式（ＭＣＳ）を示し、またはそれらの組合せである、Ｃ２８に記載に装置。